(57)【要約】【課題】インキ瓶の蓋を開ける際に、蓋本体に装着したパッキンが容器本体の口部に貼り付いたまま残ってしまうことがないインキ瓶を得る。【解決手段】パッキン４の上面に凹部又は凸部からなる係止部４ｂを形成し、蓋本体３の上壁部３ａの下面に凸部又は凹部からなる係止受部３ｄを形成し、係止部４ｂと係止受部３ｄとを凹凸嵌合させることにより、容器本体２の口部２ａから蓋５を螺脱させる際に、パッキン４の係止部４ｂと蓋本体３の係止受部３ｄとが当接して、パッキン４が蓋本体３と共に回動する構造とする。【選択図】図３
2012218300.tif 000002
【特許請求の範囲】
【請求項１】
蓋本体が円形状の内面を有する上壁部と該上壁部から垂設した側壁部とを有し、前記側壁部の内側に容器本体の口部へ形成した雄螺子部と螺合する雌螺子部を形成し、前記蓋本体内に前記容器本体の口部と当接する外周が円形状のパッキンを嵌め込んで装着し、前記蓋を前記容器本体に螺合して装着させた際に、前記容器本体の口部と前記蓋本体の上壁部との間で前記パッキンを挟持して当該容器本体のインキ収容部を密閉する構造のインキ瓶であって、前記パッキンの上面に凹部又は凸部からなる係止部を形成し、前記蓋本体の上壁部の下面に凸部又は凹部からなる係止受部を形成し、前記係止部と前記係止受部とを凹凸嵌合させることにより、前記容器本体の口部から前記蓋を螺脱させる際に、前記パッキンの係止部と前記蓋本体の係止受部とが当接して、前記パッキンが前記蓋本体と共に回動する構造のインキ瓶。
【発明の詳細な説明】
【技術分野】
【０００１】
本発明は、筆記具用インキを収容したインキ瓶に関する。
【背景技術】
【０００２】
筆記具用インキを収容したインキ瓶については従来より良く知られており、こうしたインキ瓶は、ガラスで成形した容器本体の口部に対し、樹脂で成形した蓋を螺合させる形態が一般的である。この蓋は、蓋本体に天然ゴムや合成ゴムあるいは発泡樹脂などで形成したパッキンを嵌め込むことで、容器本体のインキ収容部を密閉することが多い。ところで、インキ瓶から万年筆にインキを吸入する場合には、吸入終了時に万年筆のペン先をインキの中から持ち上げた際に、容器本体の口部にインキが付着してしまうことがよくあり、口部にインキが付着したままで蓋を閉めると、口部の上端面に蓋本体から外れたパッキンが貼り付いて残ってしまうことから、次回使用する際にパッキンを容器本体の口部から剥がして蓋本体へ戻す必要があり、その際の煩わしさと指がインキで汚れてしまうという問題が生じていた。この問題は、容器本体の口部に付着したインキが乾いて固化することでインキが接着剤のようになり、パッキンが口部の上端面に貼り付き、蓋本体とパッキンが円形状であることから、蓋本体を回転させた際に、蓋本体とパッキンとの嵌合力よりパッキンと容器本体の口部とのインキで貼り付いた力の方が強いことから、蓋本体に対してパッキンが空回りすることで生じていた。
【先行技術文献】
【特許文献】
【０００３】
【特許文献１】意匠登録第１１０８８５０号公報
【発明の概要】
【発明が解決しようとする課題】
【０００４】
本発明の目的は、インキ瓶の蓋を開ける際に、蓋本体に装着したパッキンが容器本体の口部に貼り付いたまま残ってしまうことがないインキ瓶を得ることである。
【課題を解決するための手段】
【０００５】
本発明は、
「蓋本体が円形状の内面を有する上壁部と該上壁部から垂設した側壁部とを有し、前記側壁部の内側に容器本体の口部へ形成した雄螺子部と螺合する雌螺子部を形成し、前記蓋本体内に前記容器本体の口部と当接する外周が円形状のパッキンを嵌め込んで装着し、前記蓋を前記容器本体に螺合して装着させた際に、前記容器本体の口部と前記蓋本体の上壁部との間で前記パッキンを挟持して当該容器本体のインキ収容部を密閉する構造のインキ瓶であって、前記パッキンの上面に凹部又は凸部からなる係止部を形成し、前記蓋本体の上壁部の下面に凸部又は凹部からなる係止受部を形成し、前記係止部と前記係止受部とを凹凸嵌合させることにより、前記容器本体の口部から前記蓋を螺脱させる際に、前記パッキンの係止部と前記蓋本体の係止受部とが当接して、前記パッキンが前記蓋本体と共に回動する構造のインキ瓶。」である。
【０００６】
パッキンの上部に形成する係止部と蓋本体の上壁の下面に形成する係止受部は、パッキンが蓋本体に対して回転しない形状にする必要があり、具体的には、パッキンの上部には三角形状や四角形状の凸部を形成し、蓋本体の上壁部の下面には前記凸部に対応する凹部を形成して嵌合させたり、あるいはパッキンの上部に円形の凸部を設ける場合には中心位置から凸部をずらして形成するか、または円形の突部を複数個を並べて設けることにより、三角形状や四角形状の凸部と同様に蓋本体に対するパッキンの空回りを防止することが可能となる。本発明では、係止部を凸部に係止受部を凹部にした場合および係止部を凹部に係止受部を凸部にした場合のいずれにおいても、パッキンが容器本体の口部の上端面に貼り付いた状態で蓋本体を回転させた際に、凸部の外側面と凹部の内側面とが当接することで、蓋本体に連動してパッキンを回動させることが肝要である。
【発明の効果】
【０００７】
本発明のインキ瓶によれば、蓋本体を回転させた際に、パッキンも当該蓋本体に連動して回動するので、インキ瓶の蓋を開ける際に、蓋本体に装着したパッキンが容器本体の口部に貼り付いたまま残ってしまうことのないインキ瓶を得ることができる。
【図面の簡単な説明】
【０００８】
【図１】実施例１におけるインキ瓶の断面図である。
【図２】実施例１における蓋の斜視図である。
【図３】実施例１における蓋を分解した状態を示す図である。
【図４】実施例２におけるインキ瓶の断面図である。
【図５】実施例２における蓋の斜視図である。
【図６】実施例２における蓋を分解した状態を示す図である。
【発明を実施するための形態】
【０００９】
次に、図面を用いて本発明の実施例について説明を行う。
【実施例１】
【００１０】
図１は、実施例１のインキ瓶の断面図である。図１に示すようにインキ瓶１は、容器本体２の口部２ａに蓋本体３とパッキン４とからなる蓋５を装着してある。
本実施例の蓋５は、蓋本体３を、円形状の上壁部３ａと、上壁部３ａから垂設した円環状の側壁部３ｂとで構成し、側壁部３ｂの内側に雌螺子部３ｃを形成し、容器本体２の口部２ａに形成した雄螺子部２ｂと螺合可能にしてある。また、蓋本体３の上壁部３ａの内側にはゴム製で外周が円形状のパッキン４を配設してあり、パッキン４の平地部４ａに形成した係止凸部４ｂを蓋本体３の上壁部３ａに形成した係止凹部３ｄに嵌合させている。容器本体２のインキ収容部２ｃにはインキ２０を収容してあり、パッキン４の平地部４ａを容器本体２の口部２ａと蓋本体３の上壁部３ａとで挟持して、インキ収容部２ｃを密閉してある。
【００１１】
次に、図２と図３を用いて本実施例の蓋の構造について詳述を行う。
本実施例の蓋５は、パッキン４の平地部４ａから上面に四角形の係止凸部４ｂを形成してあり、蓋本体３の上壁部３ａの下面に前記パッキン４の係止凸部４ｂと合致する四角形の係止凹部３ｄを形成してあり、パッキン４の係止凸部４ｂと蓋本体３の係止凹部３ｄとを凹凸嵌合して蓋３を完成させた。
【００１２】
図示しないが本実施例のインキ瓶１は、容器本体２の口部２ａの上端面にインキ２０が付着されたまま蓋５が閉められ、図１に示した状態でパッキン４が容器本体２の口部２ａの上端面に貼り付いてしまった状態でも、蓋５を開けるために蓋本体３を回した際に、蓋本体３の係止凹部３ｄの内側面３ｅが、パッキン４の係止凸部４ｂの外側面４ｃに当接することでパッキン４が蓋本体３に連動して回動して、パッキン４が容器本体２に取り残されることなく蓋本体３と共に取り外すことができた。
【実施例２】
【００１３】
図４は、実施例２のインキ瓶の断面図である。図４に示すようにインキ瓶１１は、容器本体２の口部２ａに蓋本体１３とパッキン１４とからなる蓋１５を装着してある。
本実施例の蓋１５は、蓋本体１３を、外側が角形状で内側が円形状の上壁部１３ａと、上壁部１３ａから垂設した外側が角形状で内側が円筒状の側壁部１３ｂとで構成し、側壁部１３ｂの内側に雌螺子部１３ｃを形成し、容器本体２の口部２ａに形成した雄螺子部２ｂと螺合可能にしてある。また、蓋本体１３の上壁部１３ａの内側にはゴム製で外周が円形状のパッキン１４を配設してあり、パッキン１４の平地部１４ａに形成した係止凸部１４ｂを蓋本体１３の上壁部１３ａに形成した係止凹部１３ｄに嵌合させている。容器本体２のインキ収容部２ｃにはインキ２０を収容してあり、パッキン１４の平地部１４ａを容器本体２の口部２ａと蓋本体１３の上壁部１３ａとで挟持して、インキ収容部２ｃを密閉してある。
【００１４】
次に、図５と図６を用いて本実施例の蓋の構造について詳述を行う。
本実施例の蓋１５は、パッキン１４の平地部１４ａから上面にＸ形状の係止凸部１４ｂを形成してあり、蓋本体１３の上壁部１３ａの下面に前記パッキン１４の係止凸部１４ｂと合致するＸ形状の係止凹部１３ｄを形成してあり、パッキン１４の係止凸部１４ｂと蓋本体１３の係止凹部１３ｄとを凹凸嵌合して蓋１３を完成させた。
【００１５】
図示しないが本実施例のインキ瓶１１は、容器本体２の口部２ａの上端面にインキ２０が付着されたまま蓋１５が閉められ、図４に示した状態でパッキン１４が容器本体２の口部２ａの上端面に貼り付いてしまった状態でも、蓋１５を開けるために蓋本体１３を回した際に、蓋本体１３の係止凹部１３ｄの内側面１３ｅが、パッキン１４の係止凸部１４ｂの外側面１４ｃに当接することで、パッキン１４が蓋本体１３に連動して回動して、パッキン１４が容器本体２に取り残されることなく蓋本体１３と共に取り外すことができた。
【産業上の利用可能性】
【００１６】
本発明は、インキ瓶の蓋を開ける際に、蓋本体からパッキンが外れてしまうことがないので、乾燥して固化しやすいインキを収容するインキ瓶にも適用することができる。
【符号の説明】
【００１７】
１，１１…インキ瓶、
２…容器本体、２ａ…口部、２ｂ…雄螺子部、２ｃ…インキ収容部、
３，１３…蓋本体、３ａ，１３ａ…上壁部、３ｂ，１３ｂ…側壁部、
３ｃ，１３ｃ…雌螺子部、３ｄ，１３ｄ…係止凹部、
４，１４…パッキン、４ａ，１４ａ…平地部、４ｂ，１４ｂ…係止凸部、
５，１５…蓋、
２０…インキ。
【図１】
2012218300.tif 000003
【図２】
2012218300.tif 000004
【図３】
2012218300.tif 000005
【図４】
2012218300.tif 000006
【図５】
2012218300.tif 000007
【図６】
2012218300.tif 000008